(57)【要約】【課題】内視鏡光源装置における放熱機能や外部への光漏れを防止する遮光機能を簡素な構成で実現し、保守・点検のメンテナンス性を向上する。【解決手段】ライトガイドコネクタ５ａをコネクタソケット１１に挿入して先端部が放熱遮光部材１５の傾斜部１７に当接すると、軸方向の力によって放熱遮光部材１５が上方向に移動し、ライトガイドコネクタ５ａが接続される。この接続状態では、ライトガイド５の先端部に入射される照明光によって発生する熱が放熱遮光部材１５から放熱され、照明光による発熱を防止する。一方、ライトガイドコネクタ５ａの先端部を放熱遮光部材１５の挿入孔１６から外すと、放熱遮光部材１５が自身の自重により下方向に移動し、照明光１４が放熱遮光部材１５によって遮光され、外部への不要な光の漏れを防止することができる。【選択図】    図２
2004350865.tif 000002
【特許請求の範囲】
【請求項１】
光源ランプからの照明光を内視鏡に伝送するライトガイドが着脱自在に接続される内視鏡光源装置において、
前記ライトガイドの接続部に、
前記ライトガイドの接続時に前記ライトガイドの先端部を保持して前記照明光による発熱を放熱すると共に前記ライトガイドの未接続時には前記照明光を遮光して外部への光漏れを防止する放熱遮光部材を具備したことを特徴とする内視鏡光源装置。
【請求項２】
光源ランプからの照明光を内視鏡に伝送するライトガイドが着脱自在に接続される内視鏡光源装置において、
前記内視鏡光源装置内に固定され、前記光源ランプを保持して放熱を行う保持用部材と、
前記内視鏡光源装置に開閉自在に設けられたランプ扉に固定され、前記ランプ扉を閉じたとき、前記光源ランプを固定する固定用部材とを具備したことを特徴とする内視鏡光源装置。
【請求項３】
光源ランプからの照明光を内視鏡に伝送するライトガイドが着脱自在に接続される内視鏡光源装置において、
前記ライトガイドの接続部に配設され、前記ライトガイドの接続時に前記ライトガイドの先端部を保持して前記照明光による発熱を放熱すると共に前記ライトガイドの未接続時には前記照明光を遮光して外部への光漏れを防止する放熱遮光部材と、
前記内視鏡光源装置内に固定され、前記光源ランプを保持して放熱を行う保持用部材と、
前記内視鏡光源装置に開閉自在に設けられたランプ扉に固定され、前記ランプ扉を閉じたとき、前記光源ランプを固定する固定用部材とを具備したことを特徴とする内視鏡光源装置。
【発明の詳細な説明】
【０００１】
【発明の属する技術分野】
本発明は、内視鏡にライトガイドを介して照明光を供給する内視鏡用光源装置に関する。
【０００２】
【従来の技術】
近年、医療用分野及び工業用分野において内視鏡が広く用いられるようになった。内視鏡で生体等の内部の検査部位を検査する場合には、検査部位を照明する照明光が必要であり、この照明光は内視鏡光源装置によって供給される。内視鏡用光源装置では、その筐体内部に収納した光源ランプで照明光を発生し、筐体の前面に設けたライトガイド接続部に内視鏡のライトガイドコネクタを接続することで、内視鏡に照明光を供給する。
【０００３】
このような内視鏡光源装置では、光源ランプで発生する熱の放熱、ライトガイド先端部に入射されない散乱光によるライトガイド先端の発熱防止、ライトガイド未接続時の外部への光漏れの防止等の様々な保護機能が要求される。例えば、特開平１−２７６１０９号公報には、ライトガイド接続部の光遮蔽用シャッタが適合構造のライトガイドジャック（ライトガイドコネクタ）以外の棒状構造の異物によって押開かれ、光源装置内部に侵入して内部の構成部品を損傷することを防止する保護構造が開示されている。
【０００４】
【特許文献１】
特開平１−２７６１０９号公報
【０００５】
【発明が解決しようとする課題】
しかしながら、従来の内視鏡光源装置では、ライトガイド接続部において、照明光による熱の放熱や外部への光漏れ防止のため、各種放熱部材や遮光部材が別々に設けられており、構造が複雑化して保守・点検の際のメンテナンス性が悪化する。
【０００６】
また、従来の内視鏡光源装置では、光源ランプの放熱のため、電極を兼用するヒートシンクに光源ランプを固定しており、光源ランプが寿命に達してランプ交換を行う際には、先ず光源ランプを固定しているヒートシンクを取外し、次に、ヒートシンクから光源ランプを取外して新しいランプをヒートシンクにセットした後、ヒートシンクを装置内に取付けなければならない。このため、ランプ交換に煩雑な手順と多くの工数を必要とし、同様に、メンテナンス性に欠けるといった問題がある。
【０００７】
本発明は上記事情に鑑みてなされたもので、内視鏡光源装置における放熱機能や外部への光漏れを防止する遮光機能を簡素な構成で実現し、保守・点検のメンテナンス性を向上することのできる内視鏡光源装置を提供することを目的としている。
【０００８】
【課題を解決するための手段】
上記目的を達成するため、本発明による第１の内視鏡光源装置は、光源ランプからの照明光を内視鏡に伝送するライトガイドが着脱自在に接続される内視鏡光源装置において、前記ライトガイドの接続部に、前記ライトガイドの接続時に前記ライトガイドの先端部を保持して前記照明光による発熱を放熱すると共に前記ライトガイドの未接続時には前記照明光を遮光して外部への光漏れを防止する放熱遮光部材を具備したことを特徴とする。
【０００９】
本発明による第２の内視鏡光源装置は、光源ランプからの照明光を内視鏡に伝送するライトガイドが着脱自在に接続される内視鏡光源装置において、前記内視鏡光源装置内に固定され、前記光源ランプを保持して放熱を行う保持用部材と、前記内視鏡光源装置に開閉自在に設けられたランプ扉に固定され、前記ランプ扉を閉じたとき、前記光源ランプを固定する固定用部材とを具備したことを特徴とする。
【００１０】
本発明による第３の内視鏡光源装置は、光源ランプからの照明光を内視鏡に伝送するライトガイドが着脱自在に接続される内視鏡光源装置において、前記ライトガイドの接続部に配設され、前記ライトガイドの接続時に前記ライトガイドの先端部を保持して前記照明光による発熱を放熱すると共に前記ライトガイドの未接続時には前記照明光を遮光して外部への光漏れを防止する放熱遮光部材と、前記内視鏡光源装置内に固定され、前記光源ランプを保持して放熱を行う保持用部材と、前記内視鏡光源装置に開閉自在に設けられたランプ扉に固定され、前記ランプ扉を閉じたとき、前記光源ランプを固定する固定用部材とを具備したことを特徴とする。
【００１１】
【発明の実施の形態】
以下、図面を参照して本発明の実施の形態を説明する。図１〜図７は本発明の実施の第１形態に係わり、図１は内視鏡光源装置の構成を示す説明図、図２はコネクタソケットのライトガイド接続前の状態を示す説明図、図３はコネクタソケットのライトガイド接続時の状態を示す説明図、図４は放熱遮光部材の傾斜部の形状を示す説明図、図５は弾性部材で付勢した放熱遮光部材を示す説明図、図６は放熱部の形状を示す側面図、図７は放熱部の他の形状を示す側面図である。
【００１２】
図１において、符号１は内視鏡光源装置（以下、単に「光源装置」と記載する）であり、照明光の発生源である光源ランプ２、光源ランプ２からの出射光の光量を調整するための絞り３、絞り３を制御する調光回路４等を備えている。光源装置１には、ライトガイド５を介して細長の挿入部を有する内視鏡６が接続され、光源ランプ２の出射光が調光回路４によって制御された絞り３（及び図２，３に示すレンズ１３）を通ってライトガイド５から内視鏡６内に伝送され、内視鏡６の挿入部先端部から出射されて被写体７を一定の明るさで照明する。
【００１３】
内視鏡６の手元側には、撮像装置としてのカメラヘッド８が着脱自在に装着され、被写体７の映像がカメラヘッド８内のＣＣＤ素子等の撮像素子（図示せず）によって電気信号に変換される。この電気信号は、ＣＣＵ（カメラコントロールユニット）９で信号処理され、モニタ１０へ映像信号を送ることで、被写体を観察できるようにしている。
【００１４】
光源装置１と内視鏡６とは、図２，図３に示すように、ライトガイド５先端部のライトガイドコネクタ５ａを、光源装置１側に設けたコネクタソケット１１の嵌合孔１２に挿入・嵌合することで接続される。コネクタソケット１１の光源ランプ２側への開口部には、レンズ１３により集光されてライトガイド５先端部に入射される照明光１４による発熱の防止、及びレンズ１３を介して導かれた照明光１４の遮光を可能とする放熱遮光部材１５が配設されている。
【００１５】
放熱遮光部材１５には、ライトガイドコネクタ５ａ先端部が挿入される挿入孔１６が設けられ、この挿入孔１６の上側に、ライトガイドコネクタ５ａの軸方向の進退動作によって放熱遮光部材１５を上下方向へ移動可能とする傾斜部１７が設けられている。傾斜部１７は、図４（ａ）に示す縦断面の形状を正面方向から見た場合、図４（ｂ）に示すような矩形状の開口部１７Ａ、或いは、図４（ｃ）に示すような円錐状の開口部１７Ｂに形成されている。
【００１６】
放熱遮光部材１５は、ライトガイドコネクタ５ａが接続されていない状態では、放熱遮光部材１５自体の自重により、挿入孔１６がコネクタソケット１１の嵌合孔１２からずれて傾斜部１７がコネクタソケット１１の嵌合孔１２に対向するように位置し、ライトガイドコネクタ５ａが接続されたとき、傾斜部１７にライトガイドコネクタ５ａの先端部が当接して上方向に移動する。
【００１７】
この場合、放熱遮光部材１５は、ライトガイドコネクタ５ａの進退方向と直交する方向（上下方向、左右方向、更には、斜め方向）に移動可能であれば良く、傾斜部１７を、挿入孔１６の下側、左側、或いは右側に設けるようにしても良い。例えば、図５に示すように、傾斜部１７を挿入孔１６の下側に設けた放熱遮光部材１５Ａでは、放熱遮光部材１５Ａの下部に弾性部材１８を設け、この弾性部材１８により、ライトガイドコネクタ５ａを挿入孔１６から外したとき、放熱遮光部材１５Ａを上方向へ付勢して傾斜部１７をコネクタソケット１１の嵌合孔１２に対向させ、照明光を遮光する。
【００１８】
この弾性部材１８を用いた構成は、放熱遮光部材１５Ａを左右方向や斜め方向に移動可能とする場合にも適用可能であり、ライトガイドコネクタ５ａが挿入孔１６に挿入されたとき、ライトガイドコネクタ５ａ先端部を付勢して保持する役割を果たすことができる。
【００１９】
また、放熱遮光部材１５（１５Ａ）は、放熱遮光部材１５（１５Ａ）自体が照明光による熱を放熱する放熱部を形成しており、放熱特性に優れた材質で形成されている。放熱効率の更なる向上のためには、図６，図７に示すように、放熱部をフィンを有するヒートシンクの形状とすることが望ましい。図６は、ヒートシンクを上下に形成した放熱部１９Ａを有する放熱遮光部材１５Ｂを示し、図７は、レンズ１３側にヒートシンクを形成した放熱部１９Ｂを有する放熱遮光部材１５Ｃを示す。
【００２０】
以上の構成による光源装置１においては、内視鏡６を接続して照明光を供給するには、ライトガイド５先端部に設けられたライトガイドコネクタ５ａをコネクタソケット１１内の嵌合孔１２に挿入する。このとき、ライトガイドコネクタ５ａの先端部がコネクタソケット１１に設けられた放熱遮光部材１５に当たるまでは、放熱遮光部材１５により照明光１４が遮られる。
【００２１】
ライトガイドコネクタ５ａを更に押込み、ライトガイドコネクタ５ａの先端部が放熱遮光部材１５に設けられた傾斜部１７に当接すると、ライトガイドコネクタ５ａの軸方向の力によって傾斜部１７に負荷がかかり、放熱遮光部材１５を上方向に移動させる。この放熱遮光部材１５の上方向への移動によりライトガイドコネクタ５ａの先端部が放熱遮光部材１５の挿入孔１６内に挿入され、ライトガイドコネクタ５ａが確実に接続される。このライトガイドコネクタ５ａが接続された状態では、レンズ１３で集光された光源ランプ２からの照明光１４がライトガイドコネクタ５ａ先端部に入射され、ライトガイド５内を伝送されて内視鏡６に照明光が供給される。
【００２２】
尚、傾斜部１７を挿入孔１６の下部に設けた図５の放熱遮光部材１５Ａでは、ライトガイドコネクタ５ａの先端部が傾斜部１７に当接した後、更に、ライトガイドコネクタ５ａを軸方向に押込むと、放熱遮光部材１５Ａが弾性部材１８の付勢力に抗して下方に移動し、ライトガイドコネクタ５ａの先端部が放熱遮光部材１５Ａの挿入孔１６内に挿入されて弾性部材１８で保持される。すなわち、コネクタソケット１１への接続時にライトガイド５先端の保持を確実に行なうことができ、最大限の明るさを供給することができる。
【００２３】
ライトガイドコネクタ５ａを光源装置１のコネクタソケット１１に接続した状態では、ライトガイド５の先端部に入射される照明光によって発生する熱は、コネクタソケット１１の放熱遮光部材１５（１５Ａ）から放熱され、ライトガイド５先端部の照明光による発熱を防止することができる。特に、図６，図７に示すように、ヒートシンク形状の放熱部１９Ａ，１９Ｂを有する場合には、ライトガイド５先端での放熱効果を高めることができる。
【００２４】
一方、ライトガイド５を光源装置１から外すときには、ライトガイドコネクタ５ａを引抜き、ライトガイドコネクタ５ａの先端部が放熱遮光部材１５の挿入孔１６から外れると、放熱遮光部材１５は、それ自身の自重により下方向に移動（放熱遮光部材１５Ａでは、弾性部材１８の付勢力により上方に移動）する。そして、完全にライトガイド５がコネクタソケット１１から外れたとき、光源ランプ２からの照明光１４は放熱遮光部材１５（１５Ａ）によって遮光され、外部への不要な光の漏れを確実に防止することができる。
【００２５】
このように本実施の形態では、光源装置１からの照明光を直接出射させないための遮光機能と、ライトガイド５先端部の照明光による発熱を防ぐための放熱機能とを一つの部材で実現している。これにより、部品点数を削減して簡素な構成とすることができ、保守・点検のメンテナンス性を向上することができる。
【００２６】
次に、本発明の実施の第２形態について説明する。図８及び図９は本発明の実施の第２形態に係わり、図８はコネクタソケットのライトガイド接続前の状態を示す説明図、図９はコネクタソケットのライトガイド接続時の状態を示す説明図である。
【００２７】
図８に示すように、第２形態のコネクタソケット１１Ａは、ライトガイドコネクタ５ａが挿入・嵌合される嵌合孔１２から光源装置内部側に向かって拡開する拡開部２０に、放熱遮光部材２１を配設している。放熱遮光部材２１は、ライトガイドコネクタ５ａの保持及び照明光を遮光するための板状の弾性材からなる弾性部材２２と、照明光による熱を効果的に放熱させるためのヒートシンク状の放熱部材２３とを一体的に結合して形成されている。尚、光源装置１内の光源ランプ２周辺の構成は第１形態と同様である。
【００２８】
弾性部材２２は、板状の部材の一部を山谷状に屈曲させて形成され、拡開部２０の側壁側に向かって山状をなす屈曲部の位置で、固定ピン２４により拡開部２０の側壁との間に挟持・固定されている。この弾性部材２２の山状の屈曲部に続く谷状の屈曲部（嵌合孔１２中心に対しては山状）がライトガイドコネクタ５ａを押圧・保持するする保持部２２ａを形成し、固定ピン２４によって固定される部位から光源装置内部側に延出される部位が照明光を遮光するための遮光部２２ｂを形成している。
【００２９】
放熱部材２３は、ライトガイドコネクタ５ａ先端部が挿入される挿入孔２３ａを有し、光源ランプ２側の側面に放熱用のフィン２３ｂを設けたものであり、フィン２３ｂ背面側の挿入孔２３ａ周縁で、弾性部材２２の遮光部２２ｂ先端側に固着されている。
【００３０】
ライトガイドコネクタ５ａがコネクタソケット１１Ａに完全に接続されていない状態では、放熱遮光部材２１は、図８に示すように、弾性部材２２の遮光部２２ｂが拡開部２０（嵌合孔１２）を塞いで放熱部材２３が下方に傾斜した配置となっている。尚、図８においては、放熱部材２３が下方に傾斜した状態を示すが、弾性部材２２及び放熱部材２３を横方向或いは斜め方向に配置しても良い。
【００３１】
第２形態のコネクタソケット１１Ａでは、ライトガイドコネクタ５ａを挿入すると、ライトガイドコネクタ５ａ先端部が弾性部材２２の保持部２２ａを押し、更に遮光部２２ｂを押して放熱部材２３を押上げる。そして、図９に示すように、放熱部材２３の挿入孔２３ａにライトガイドコネクタ５ａ先端部が挿入されて端面がレンズ１３に対向することで、ライトガイドコネクタ５ａがコネクタソケット１１Ａに接続される。このとき、弾性材料からなる弾性部材２２の保持部２２ａ及び遮光部２２ｂには、元の状態に戻ろうとする力が発生し、ライトガイドコネクタ５ａを保持部２２ａと遮光部２２ｂとの２箇所の屈曲部で押圧して保持する。
【００３２】
ライトガイドコネクタ５ａが確実に接続されると、レンズ１３で集光された照明光１４がライトガイドコネクタ５ａ先端部に入射され、ライトガイド５内を伝送されて内視鏡６に照明光が供給される。このとき、ライトガイド５の先端部に入射される照明光１４によって発生する熱は、ヒートシンク状の放熱部材２３及び放熱部を兼ねる遮光部２２ｂから放熱される。
【００３３】
すなわち、ライトガイドコネクタ５ａ先端部に入射された照明光１４による熱は、ライトガイドコネクタ５ａ先端部に嵌合される放熱部材２３から放熱されると共に、この放熱部材２３の裏面側でライトガイドコネクタ５ａを押圧する弾性部材２２の遮光部２２ｂ表面からの放熱及び放熱部材２３への伝熱によって効率良く放熱され、ライトガイド５先端部の照明光による発熱を確実に防止することができる。
【００３４】
ライトガイド５を外すときには、挿入時とは逆にライトガイドコネクタ５ａ先端部が弾性部材２２の遮光部２２ｂ及び保持部２２ａを通過すると、弾性部材２２が自身の弾性によって元の状態に戻り、遮光部２２ｂがコネクタソケット１１Ａの嵌合孔１２を塞ぎ、外部への不要な照明光の漏れを確実に防止することができる。
【００３５】
第２形態においては、前述の第１形態例と同様の効果が得られるばかりでなく、ライトガイド５接続部での保持箇所が増えるため、ライトガイド５を確実に固定することができる。
【００３６】
次に、本形態の実施の第３形態について説明する。図１０〜図１２は本発明の実施の第３形態に係わり、図１０は光源ランプ周辺の構成を示す説明図、図１１は光源ランプの設置手順を示す説明図、図１２は光源ランプ周辺の構成を上側から見た説明図である。
【００３７】
第３形態は、光源ランプを容易に交換可能とするものであり、前述の第１形態、第２形態にも適用可能である。
【００３８】
図１０〜図１２に示すように、光源ランプ２Ａ（第１形態、第２形態の光源ランプ２でも良い）は、両端の電極部でヒートシンク形状の一対の保持用放熱部材３０，３０によって保持されている。保持用放熱部材３０は、光源装置内に固定され、光源ランプ２Ａの保持と放熱とを兼用するものであり、光源ランプ２Ａを収納する円筒状の収納部の一部が光源ランプ２Ａを径方向から挿入可能なように開口されている。保持用放熱部材３０の収納部の内壁面と光源ランプ２Ａ外周面との間には、径方向断面が略Ｃの字状の円筒状の弾性材からなる保持用弾性部材３１が配設され、この保持用弾性部材３１により、光源ランプ２Ａが保持用放熱部材３０内に弾性的に保持されて脱落が防止される。
【００３９】
また、本形態の光源装置の外装部には、ヒンジ開閉式のランプ扉３２が設けられ、このランプ扉３２の内側に、保持用放熱部材３０，３０に対応して、ヒートシンク形状の固定用放熱部材３３，３３が絶縁部材３４，３４を介して取付けられている。各固定用放熱部材３３の光源ランプ２Ａ側の平面部には、略円弧状に突出する固定用弾性部材３５の一端が固定されており、ランプ扉３２が閉じられた状態で各固定用放熱部材３３が各保持用放熱部材３０に対向して各固定用弾性部材３５が光源ランプ２Ａの側部を弾性的に押圧し、光源ランプ２Ａを固定する。
【００４０】
すなわち、光源ランプ２Ａを設置する場合には、図１１に示すように、保持用放熱部材３０内の保持用弾性部材３１の開口部から光源ランプ２Ａを径方向に挿入すると、保持用弾性部材３１の弾性力により光源ランプ２Ａが保持され、脱落が防止される。保持用弾性部材３１を介して保持用放熱部材３０内に光源ランプ２Ａを収納した後、ランプ扉３２を閉じることで、ランプ扉３２内面側の固定用放熱部材３３に取付けられた固定用弾性部材３５により光源ランプ２Ａが付勢され、確実に固定される。
【００４１】
そして、光源ランプ２Ａを設置・固定した後、電源（図示しない）を入れると、光源ランプ２Ａが発光して照明光１４がレンズ１３で集光され、コネクタソケット内に照射される。コネクタソケットは、前述の第１形態のコネクタソケット１１或いは第２形態のコネクタソケット１１Ａを用いることが望ましい。
【００４２】
一方、光源ランプ２Ａが寿命に達したときには、光源ランプ２Ａが冷却されたことを確認した後、ランプ扉３２を開ける。ランプ扉３２を開けると、ランプ扉３２に取付けられている固定用放熱部材３３が光源ランプ２Ａから離間し、固定用弾性部材３５による押圧・固定から光源ランプ２Ａが開放される。これにより、保持用放熱部材３０の開口部から光源ランプ２Ａのみを取り外すことができ、ランプ交換を容易に行うことができる。
【００４３】
このように、光源ランプ２Ａの放熱・固定を行う部材を、保持用弾性部材３１を介して光源ランプ２Ａの放熱及び脱落防止機能を持たせた保持用放熱部材３０と、固定用弾性部材３５を介して光源ランプ２Ａの放熱及び固定機能を持たせた固定用放熱部材３３との２種類の部材（保持用部材、固定用用部材）に分離し、固定用放熱部材３３をランプ扉３２に取付けてランプ扉３２の開閉により光源ランプ２Ａの非固定／固定を自在としているため、光源ランプ２Ａを保持する保持用放熱部材３０を取り外すことなく光源ランプ２Ａを容易に交換することができ、メンテナンス性を向上することができる。
【００４４】
［付記］
１．光源ランプで発生された照明光を伝達するライトガイドが着脱自在の内視鏡光源装置において、
前記照明光による前記ライトガイドの発熱を緩和することと、前記光源ランプの照明光の光漏れを防ぐこととを同時に兼ね備えた放熱遮光手段、
を具備したことを特徴とする内視鏡光源装置。
【００４５】
２．前記放熱遮光手段は傾斜部を持ち、ライトガイドの接続時に接続方向の負荷を利用し、接続方向に対して直行方向に可動すること、
を特徴とする付記１記載の内視鏡光源装置。
【００４６】
３．前記放熱遮光手段はライトガイド先端に保持力を発生させる保持手段をもつこと、
を特徴とする付記１記載の内視鏡光源装置。
【００４７】
４．前記放熱遮光手段は弾性部材であり、ライトガイド接続方向に対して、一端はライトガイド保持手段を、他端はライトガイド保持及び放熱遮光手段を兼ね備えたこと、
を特徴とする付記１又は２記載の内視鏡光源装置。
【００４８】
５．光源ランプに取付ける２つの電極をもつ放熱部材内に、おのおの脱落防止機能及び保持機能をもつ弾性手段をもつこと、
を特徴とする内視鏡光源装置。
【００４９】
【発明の効果】
以上説明したように本発明によれば、内視鏡光源装置における放熱機能や外部への光漏れを防止する遮光機能を簡素な構成で実現し、保守・点検のメンテナンス性を向上することができる。
【図面の簡単な説明】
【図１】本発明の実施の第１形態に係わり、内視鏡光源装置の構成を示す説明図
【図２】同上、コネクタソケットのライトガイド接続前の状態を示す説明図
【図３】同上、コネクタソケットのライトガイド接続時の状態を示す説明図
【図４】同上、放熱遮光部材の傾斜部の形状を示す説明図
【図５】同上、弾性部材で付勢した放熱遮光部材を示す説明図
【図６】同上、放熱部の形状を示す側面図
【図７】同上、放熱部の他の形状を示す側面図
【図８】本発明の実施の第２形態に係わり、コネクタソケットのライトガイド接続前の状態を示す説明図
【図９】同上、コネクタソケットのライトガイド接続時の状態を示す説明図
【図１０】本発明の実施の第３形態に係わり、光源ランプ周辺の構成を示す説明図
【図１１】同上、光源ランプの設置手順を示す説明図
【図１２】同上、光源ランプ周辺の構成を上側から見た説明図
【符号の説明】
１  光源装置
２，２Ａ  光源ランプ
５  ライトガイド
６  内視鏡
１１，１１Ａ  コネクタソケット
１５，２１  放熱遮光部材
３０  保持用放熱部材
３１  保持用弾性部材
３２  ランプ扉
３３  固定用放熱部材
３５  固定用弾性部材
【図１】
2004350865.tif 000003
【図２】
2004350865.tif 000004
【図３】
2004350865.tif 000005
【図４】
2004350865.tif 000006
【図５】
2004350865.tif 000007
【図６】
2004350865.tif 000008
【図７】
2004350865.tif 000009
【図８】
2004350865.tif 000010
【図９】
2004350865.tif 000011
【図１０】
2004350865.tif 000012
【図１１】
2004350865.tif 000013
【図１２】
2004350865.tif 000014